(57)【要約】【課題】放熱板とレーザダイオードとの熱的結合のための別部材を不要にする。【解決手段】光源としてのレーザダイオード２と、そのレーザダイオード２が固定される樹脂製のベースフレーム３と、レーザダイオード２に固定され該レーザダイオード２から発生する熱を放散する放熱板４とを備えた光ピックアップ装置１において、放熱板４に弾性変形部５を設け、その弾性変形部５の弾性力によりレーザダイオード２と放熱板４とが熱的に結合される。【選択図】        図１
2004348877.tif 000002
【特許請求の範囲】
【請求項１】
光源としてのレーザダイオードと、そのレーザダイオードが固定される樹脂製のベースフレームと、前記レーザダイオードに固定され該レーザダイオードから発生する熱を放散する放熱板とを備えた光ピックアップ装置において、前記放熱板に弾性変形部を設け、その弾性変形部の弾性力により前記レーザダイオードと前記放熱板とが熱的に結合されていることを特徴とする光ピックアップ装置。
【請求項２】
前記放熱板は、前記弾性変形部で前記レーザダイオードに固定されていることを特徴とする請求項１記載の光ピックアップ装置。
【請求項３】
前記弾性変形部は、前記レーザダイオードが挿通される前記放熱板の開口部の縁からその開口部の中心方向に延出して設けられた複数の弾性変形部であることを特徴とする請求項１または２記載の光ピックアップ装置。
【発明の詳細な説明】
【０００１】
【発明の属する技術分野】
本発明は、ＣＤやＤＶＤなどの光ディスクに情報を読み書きするための光ピックアップ装置に関する。さらに詳述すると、本発明は、光ピックアップ装置の光源の放熱機構に関する。
【０００２】
【従来の技術】
光ピックアップ装置の構成部品を保持するベースフレームの材質としては従来はアルミダイカストが採用されていたが、近年ではコスト低減のためにプラスチックが採用されることが多い。プラスチックは一般に熱伝導率が低い。このため、ベースフレームに圧入等によって直接固定されたレーザダイオードから発生する熱が外部に放散されにくい。レーザダイオードはそれ自身から発する熱により消費電力が上がったりレーザ発振が不安定になるという特性劣化を引き起こすことがある。
【０００３】
これを回避するために、熱伝導率の高い銅やアルミニウム等の金属材料からなる放熱板を使用するようにしている。この場合、レーザダイオードと放熱板との熱的結合を確実にする必要がある。このため、図３に示すようにレーザダイオード１００と放熱板１０１との間に仲介部材１０２として熱伝導率の高い変形自在なシリコンゴムを介在させることがある。また、仲介部材１０２を使用せずにレーザダイオード１００と放熱板１０１とをねじ部材等で強固に押し付けあうこともある。
【０００４】
【発明が解決しようとする課題】
しかしながら、上述した放熱板１０１を使用する光ピックアップ装置では、放熱板１０１とレーザダイオード１００とを熱的結合するために仲介部材１０２やねじ部材といった別部材を使用しているので、部品点数が増えてしまうと共に組立時の作業工程が増えてしまう。このため、光ピックアップ装置のコストアップを招いていた。
【０００５】
そこで、本発明は、放熱板とレーザダイオードとの熱的結合のための別部材を不要にできる光ピックアップ装置を提供することを目的とする。
【０００６】
【課題を解決するための手段】
かかる目的を達成するため、請求項１記載の発明は、光源としてのレーザダイオードと、そのレーザダイオードが固定される樹脂製のベースフレームと、レーザダイオードに固定され該レーザダイオードから発生する熱を放散する放熱板とを備えた光ピックアップ装置において、放熱板に弾性変形部を設け、その弾性変形部の弾性力によりレーザダイオードと放熱板とが熱的に結合されるようにしている。
【０００７】
したがって、放熱板とレーザダイオードとを熱的結合する仲介部材やねじ部材などの別部材が不要に成るので、部品点数を削減できると共に組立時の作業工程を減らすことができる。
【０００８】
また、請求項２記載の発明は、請求項１記載の光ピックアップ装置において、放熱板は、弾性変形部でレーザダイオードに固定されるようにしている。したがって、弾性変形部がレーザダイオードに接触するので熱的結合を確実なものにすることができる。しかも、放熱板のレーザダイオードへの接触部位と弾性変形部とを兼用することができるので、放熱板の構成を簡易にすることができる。
【０００９】
さらに、請求項３記載の発明は、請求項１または２記載の光ピックアップ装置において、弾性変形部は、レーザダイオードが挿通される放熱板の開口部の縁からその開口部の中心方向に延出して設けられた複数の弾性変形部であるようにしている。したがって、レーザダイオードに対して複数の弾性変形部が接触するので放熱の効率を高めることができる。
【００１０】
【発明の実施の形態】
以下、本発明の構成を図面に示す実施形態に基づいて詳細に説明する。
【００１１】
図１及び図２に本発明の光ピックアップ装置１の実施の一形態を示す。この光ピックアップ装置１は、光源としてのレーザダイオード２と、そのレーザダイオード２が固定される樹脂製のベースフレーム３と、レーザダイオード２に固定され該レーザダイオード２から発生する熱を放散する放熱板４とを備えたものである。そして、放熱板４に弾性変形部５を設け、その弾性変形部５の弾性力によりレーザダイオード２と放熱板４とが熱的に結合されるようにしている。
【００１２】
放熱板４は、底部６と、該底部６に対して直交すると共にレーザダイオード２に接触する側に設けられた接触側部７と、その反対側に設けられてベースフレーム３に係止するための係止側部８とを備えている。
【００１３】
弾性変形部５は接触側部７に形成されている。そして、弾性変形部５は係止側部８に向けて突出するよう折り曲げられている。これにより、放熱板４は、弾性変形部５でレーザダイオード２に固定され接触している。
【００１４】
接触側部７には、レーザダイオード２が挿通される放熱板４の開口部９が形成されている。そして、弾性変形部５は、開口部９の縁からその開口部９の中心方向に延出して設けられた複数の弾性変形部５であるようにしている。各弾性変形部５は開口部９の中心に対して約３０度側方を向いて延出した形状にしている。これにより、各弾性変形部５の長さを十分に確保できるので、高いばね性を得ることができる。
【００１５】
放熱板４の接触側部７の先端部には係止穴１０が形成されている。この係止穴１０はベースフレーム３に形成された係止爪１１に係止される。開口部９からはレーザダイオード２の端子１２が突出する。この端子１２にはフレキシブルプリント基板１３が取り付けられている。
【００１６】
上述した光ピックアップ装置１を組み立てる際は、レーザダイオード２をベースフレーム３に圧入する。そして、放熱板４の接触側部７の係止穴１０をベースフレーム３の係止爪１１に引っ掛けて（図１（Ｂ）中、二点鎖線）、レーザーダイオード２の端子１２を開口部９に通す。さらに、放熱板４の係止側部８をベースフレーム３のレーザダイオード２とは反対側に引っ掛ける（図１（Ｂ）中、実線）。これにより、放熱板４がベースフレーム３に固定される。
【００１７】
このとき、各弾性変形部５は係止側部８に向けて突出しているので、レーザダイオード２の金属製のパッケージ２ａに接触するようになる。ピックアップの動作中はレーザダイオード２の熱はパッケージ２ａから各弾性変形部５を介して接触側部７に伝導され、放熱板４の全体に伝わって放熱される。
【００１８】
本実施形態によれば、放熱板４は弾性変形部５でレーザダイオード２に固定されているので、弾性変形部５がレーザダイオード２に接触して熱的結合を確実なものにできる。また、放熱板４のレーザダイオード２への接触部位と弾性変形部５とを兼用することができるので、放熱板４の構成を簡易にすることができる。
【００１９】
なお、上述の実施形態は本発明の好適な実施の一例ではあるがこれに限定されるものではなく、本発明の要旨を逸脱しない範囲において種々変形実施可能である。例えば本実施形態では放熱板４の接触側部７に弾性変形部５を設けているが、これには限られず係止側部８に設けるようにしても良い。すなわち、接触側部７は単にレーザダイオード２に接触するだけであると共に、係止側部８に設けられた弾性変形部５が接触側部７をレーザダイオード２に押圧するようにする。あるいは、接触側部７および係止側部８の両方に弾性変形部５を設けるようにしても良い。
【００２０】
また、本実施形態では弾性変形部５は複数設けられているが、これには限られず１つであっても良い。さらに、本実施形態では接触側部７にレーザダイオード２が挿通される大きさの開口部９を設けているが、これには限られずレーザダイオード２が挿通されない大きさであっても良く、あるいは開口部９が無くても良い。
【００２１】
【発明の効果】
以上の説明から明らかなように、請求項１記載の光ピックアップ装置によれば、放熱板とレーザダイオードとを熱的結合する仲介部材やねじ部材などの別部材が不要に成るので、部品点数を削減できると共に組立時の作業工程を減らすことができる。よって、光ピックアップ装置の低コスト化を図ることができる。
【００２２】
また、請求項２記載の光ピックアップ装置によれば、弾性変形部がレーザダイオードに接触するので熱的結合を確実なものにすることができる。しかも、放熱板のレーザダイオードへの接触部位と弾性変形部とを兼用することができるので、放熱板の構成を簡易にすることができる。
【００２３】
さらに、請求項３記載の光ピックアップ装置によれば、レーザダイオードに対して複数の弾性変形部が接触するので放熱の効率を高めることができる。
【図面の簡単な説明】
【図１】本発明の光ピックアップ装置の主要部を示す図であり、（Ａ）は正面図、（Ｂ）は（Ａ）のＩ−Ｉ線で切断した状態を示す縦断面側面図である。
【図２】光ピックアップ装置の全体を示す側面図である。
【図３】従来の光ピックアップ装置を示す縦断面側面図である。
【符号の説明】
１  光ピックアップ装置
２  レーザダイオード
３  ベースフレーム
４  放熱板
５  弾性変形部
９  開口部
【図１】
2004348877.tif 000003
【図２】
2004348877.tif 000004
【図３】
2004348877.tif 000005